(57)【要約】【課題】レジューム再生によりユーザに不快感を与えたり余計な時間を浪費させたりせず、レジューム再生開始時にユーザの意志で且つ簡単なキー操作でレジューム位置の所定時間前の位置から再生可能とし、レジューム再生開始後もそのレジューム位置を過ぎるまで、ユーザの意志で且つ簡単なキー操作で同じ位置から再度再生可能とする。【解決手段】ＤＶＤ／ＨＤＤレコーダ１００等のコンテンツ再生装置は、コンテンツの再生停止時にレジューム位置を保持する保持手段と、保持手段でレジューム位置が保持されたコンテンツに対する戻し再生操作を受け付ける戻し再生操作手段と、戻し再生操作を受け付けたときに保持手段からそのコンテンツのレジューム位置を読み出し、そのレジューム位置を起点として所定時間前の位置から再生を開始する戻し再生手段とを備える。保持手段は、戻し再生手段で再生されレジューム位置に到達するまではそのレジューム位置を保持する。【選択図】図１
2009140565.tif 000002
【特許請求の範囲】
【請求項１】
コンテンツを再生中に再生が停止された状態となったときに、その停止位置をレジューム位置として該コンテンツに関連付けて保持する保持手段と、該保持手段でレジューム位置が保持されたコンテンツに対する戻し再生操作を受け付ける戻し再生操作手段と、該戻し再生操作手段で戻し再生操作を受け付けたときに、前記保持手段から前記コンテンツに関するレジューム位置を読み出し、該レジューム位置を起点として所定時間前の位置から再生を開始する戻し再生手段と、を備えたレジューム機能付きのコンテンツ再生装置であって、前記保持手段は、前記戻し再生手段で再生され前記レジューム位置に到達するまでは該レジューム位置を保持し、該レジューム位置を超えて再生が継続された後に停止された状態となったときにはじめて、前記レジューム位置を更新することを特徴とするコンテンツ再生装置。
【請求項２】
請求項１に記載のコンテンツ再生装置において、前記戻し再生操作手段は、前記戻し再生操作として、複数の所定時間の中から選択的に一つの所定時間を決定させる操作を受け付け、前記戻し再生手段は、前記保持手段から読み出した前記コンテンツに関するレジューム位置を起点として、前記戻し再生操作手段で選択された所定時間前の位置から再生を開始することを特徴とするコンテンツ再生装置。
【請求項３】
請求項２に記載のコンテンツ再生装置において、前記戻し再生操作手段は当該コンテンツ再生装置の本体側及び／又はリモートコントローラ側に１つのキーを有し、該キーの連続押下時間又は間欠押下回数に応じて、前記複数の所定時間の中から選択的に一つの所定時間を決定させる操作を受け付けることを特徴とするコンテンツ再生装置。
【請求項４】
請求項２に記載のコンテンツ再生装置において、前記戻し再生操作手段は、前記複数の所定時間がそれぞれ関連付けられた複数のキーを、当該コンテンツ再生装置の本体側及び／又はリモートコントローラ側に有することを特徴とするコンテンツ再生装置。
【請求項５】
請求項２〜４のいずれか１項に記載のコンテンツ再生装置において、前記複数の所定時間の一つとして、前記戻し再生手段で前記レジューム位置からの戻し再生を行うための０秒を含むことを特徴とするコンテンツ再生装置。
【請求項６】
保持手段が、コンテンツを再生中に再生が停止された状態となったときに、その停止位置をレジューム位置として該コンテンツに関連付けて保持する保持ステップと、戻し再生操作手段が、前記保持手段でレジューム位置が保持されたコンテンツに対する戻し再生操作を受け付ける戻し再生操作ステップと、戻し再生手段が、前記戻し再生操作手段で戻し再生操作を受け付けたときに、前記保持手段から前記コンテンツに関するレジューム位置を読み出し、該レジューム位置を起点として所定時間前の位置から再生を開始する戻し再生ステップと、を含むコンテンツ再生方法であって、前記保持ステップは、前記戻し再生ステップで再生され前記レジューム位置に到達するまでは該レジューム位置を保持し、該レジューム位置を超えて再生が継続された後に停止された状態となったときにはじめて、前記レジューム位置を更新することを特徴とするコンテンツ再生方法。
【請求項７】
請求項６に記載のコンテンツ再生方法において、前記戻し再生操作ステップは、前記戻し再生操作として、複数の所定時間の中から選択的に一つの所定時間を決定させる操作を受け付け、前記戻し再生ステップは、前記保持手段から読み出した前記コンテンツに関するレジューム位置を起点として、前記戻し再生操作手段で選択された所定時間前の位置から再生を開始することを特徴とするコンテンツ再生方法。
【請求項８】
請求項６又は７に記載のコンテンツ再生方法を、コンピュータに実行させるためのプログラム。
【発明の詳細な説明】
【技術分野】
【０００１】
本発明は、レジューム機能を備えたコンテンツ再生装置、コンテンツ再生方法、及びそのコンテンツ再生方法をコンピュータに実行させるためのプログラムに関する。
【背景技術】
【０００２】
ランダムアクセスが可能なＤＶＤ（Digital Versatile Disc）やＨＤＤ（Hard Disk Drive）等の記録媒体に記録されたコンテンツを再生するコンテンツ再生装置においては、レジューム機能を有するものがある。このレジューム機能とは、コンテンツ再生中に停止キーを押したり電源をオフしたりすると、その停止位置をレジュームポイント（レジューム位置）として記録しておき、次回そのコンテンツを選択して再生キーを押すと、そのレジューム位置（すなわち前回の再生時における停止位置）から再生を開始する機能である。
【０００３】
このようなレジューム機能は便利な面もあるが、一旦視聴を中止したコンテンツを途中であるレジューム位置（前回の停止位置）から再生しても、特に映画やドラマのコンテンツであった場合には前回視聴分のストーリーをユーザが覚えていないことがあるため、ユーザにとって話の展開が把握し難い。従って、ユーザは、レジューム再生を行ったにも拘わらず、結局、最初から再生し直したり、巻き戻し操作などを行う必要が生じる場合がある。このような問題を解決するために様々な技術が提案されている（例えば、特許文献１−４を参照）。
【０００４】
特許文献１には、ＤＶＤにおいてレジューム再生した場合に、前回視聴時のあらすじが分かるよう、ＤＶＤ先頭からダイジェスト映像を再生してから続き再生を行うようにする技術が開示されている。
【０００５】
特許文献２には、前回視聴から再生再開（レジューム再生）までの経過時間に応じて戻し時間を決定し、決定した時間分だけレジューム位置から戻してからレジューム再生を行う技術が開示されている。
【０００６】
特許文献３には、再生停止時に予め決めておいた次回再生位置（例えば停止位置の１分前など）の情報を不揮発メモリに記録しておき、次回レジューム再生時に続き再生ＯＮ／ＯＦＦキーがＯＮにセットされていた場合にその不揮発メモリに記録された情報を用いて再生を開始する技術が開示されている。また、特許文献３には、レジューム再生において前回再生のストーリーが理解しやすいよう、前回停止時に再生時間を任意に分割してダイジェスト再生位置情報を算出し不揮発性メモリに記録しておき、ＤＶＤ先頭からダイジェスト映像を再生してから続き再生を行う技術も開示されている。
【０００７】
特許文献４には、ディスクに記録されたデータ列の再生を途中で停止し、停止した位置から続きを再生するディスク再生装置において、視聴者がストーリーの把握や感情移入等を容易に行なえるようにする技術が開示されている。このディスク再生装置は、ディスクの再生が停止された状態で、再生の続きとなる第１の位置を保持するレジスタと、この第１の位置よりも再生順で手前となる第２の位置を入力する操作部と、ディスクの再生停止した位置からの続きの再生が要求された状態で、第２の位置から第１の位置まで所定の再生形態で再生を行い、第１の位置以降通常の再生動作を行うコントロール部とを備えている。
【特許文献１】特開平１１−２７３２２７号公報
【特許文献２】特開２００６−１８９７１号公報
【特許文献３】特開２００２―２５２３５号公報
【特許文献４】特開２００１−３４４８７４号公報
【発明の開示】
【発明が解決しようとする課題】
【０００８】
しかしながら、特許文献１に記載の技術では、録画したコンテンツやＤＶＤコンテンツをレジューム再生する度に、先頭からダイジェスト再生されてしまうため、ユーザに不快感を与えたり余計な時間を浪費させたりしてしまう。
【０００９】
また、特許文献２に記載の技術では、再生再開までの経過時間の長さと戻す時間との適切な相関関係は一般的に知られていないため、自動的に決定された戻し時間だけレジューム位置から戻して再生したとしても、ユーザにとって適切な再生を実行しているとは限らない。例えば、再生再開までの経過時間が長いと多く戻し、短いと少なく戻すように、戻し時間を自動的に決定したとしても、ユーザがどれだけストーリーを覚えているかといったことがユーザ自身やコンテンツ自体に依存するため、常にユーザにとって適切な決定及びその決定に基づく再生が実行できるとは言えない。従って、特許文献２に記載の技術をコンテンツ再生装置に実装したとしても、結局、ほとんどの場合にレジューム位置から数分程度戻し、前回と重複視聴させるだけとなる。
【００１０】
また、特許文献２に記載の技術では、戻し時間が自動的に決定されるため、再生時に前回停止位置の所定時間前（例えば３分前）から見たいとユーザが思ってもそれに対応することはできず、結局、再生開始後にユーザが望む位置まで巻き戻し操作又は早送り操作を行うしかない。
【００１１】
さらに、特許文献２に記載の技術では、レジューム再生の操作後にユーザが急用により視聴できなくなる場合には、ユーザが停止操作や一時停止操作を行うことになるが、一時停止操作ではなく停止操作を行うとレジューム位置が更新されてしまうため、その後、元のレジューム位置を基準とした操作が行えない。従って、例えば前回停止位置であるレジューム位置の１分前から戻し再生を始めてみて、３０秒程経過したがもう一度１分前から再生したいという場合でも、巻き戻し操作を行うしかない。
【００１２】
また、特許文献３に記載の技術においても、特許文献２に記載の技術と同様の場面で問題が生じ得る。つまり、特許文献３に記載の技術は、停止時に次回再生開始位置の情報（例えば停止位置からの１分などの戻し時間を示す情報）を不揮発性メモリに記録し、その停止時に決められた固定位置に基づいてレジューム再生しているため、第１の問題として、レジューム再生時にはその時間（戻し時間）を設定することも変更することもできない。従って、再生時に前回停止位置の所定時間前（例えば３分前）から見たいとユーザが思ってもそれに対応することはできず、結局、再生開始後にユーザが望む位置まで巻き戻し操作（決められた戻し時間より短い時間重複視聴したい場合には早送り操作）を行うしかない。
【００１３】
また、第２の問題として、レジューム再生の操作後にユーザが電話やトイレといった一時的な急用により停止操作を行った場合には、続き再生ＯＮ／ＯＦＦキーがＯＮであるままのことが多く、レジューム位置が更新されてしまうため、その後、元のレジューム位置を基準とした操作が行えない。従って、例えば前回停止位置であるレジューム位置の１分前から戻し再生を始めてみて、３０秒程経過したがもう一度１分前から再生したいという場合でも、巻き戻し操作を行うしかない。さらに、例えば１分前からレジューム再生するよう決まっていた場合、レジューム再生が開始されてから１分経過しない時間帯での停止操作であれば、次回のレジューム再生時には、新たな停止位置（新たなレジューム位置）からさらに１分前が開始位置となる。その結果、合計２分弱〜１分強の重複再生が行われるため、ユーザが急用時の停止前にストーリーをある程度把握した場合には、ユーザに不快感を与えたり余計な時間を浪費させることとなるか、或いは停止した位置までユーザが早送り操作を行う必要が生じる。
【００１４】
また、特許文献４に記載の技術でも、第２の位置をレジューム再生操作の前に設定しておくため、特許文献３に記載の技術と同様に、第１の問題として、レジューム再生時にはその固定時間（第２の位置に対応する時間）を変更できない。また、上記第２の問題と同様の問題も生じる。つまり、レジューム再生操作後に、ユーザが電話やトイレといった一時的な急用により停止操作を行った後には、レジューム位置が更新されてしまうため、元のレジューム位置を基準とした操作が行えない。従って、特許文献３に記載の技術で説明したのと同様に、１分前からレジューム再生するよう決まっていた場合でも、レジューム再生操作が反映され１分前から再生を開始した後の停止操作であれば、合計２分弱〜１分強の重複再生が行われる。そして、ユーザが急用時の停止前にストーリーをある程度把握した場合には、ユーザに不快感を与えたり余計な時間を浪費させることとなるか、或いは停止した位置までユーザが早送り操作を行う必要が生じる。
【００１５】
本発明は、上述のごとき実状に鑑みてなされたものであり、レジューム再生によりユーザに不快感を与えたり余計な時間を浪費させたりすることなく、レジューム再生開始時にユーザの意志で且つ簡単なキー操作でレジューム位置の所定時間前の位置から再生可能とし、またレジューム再生開始後もそのレジューム位置を過ぎるまで、ユーザの意志で且つ簡単なキー操作で同じ位置から再度再生させることを可能としたレジューム機能付きコンテンツ再生装置、コンテンツ再生方法、及びそのコンテンツ再生方法をコンピュータに実行させるためのプログラムを提供することを、その目的とする。
【００１６】
また、本発明は、レジューム再生によりユーザに不快感を与えたり余計な時間を浪費させたりすることなく、レジューム再生開始時にユーザの意志で且つ簡単なキー操作で戻し時間を決定可能とし、またレジューム再生開始後もその戻し時間をユーザの意志で且つ簡単なキー操作で変更可能としたレジューム機能付きコンテンツ再生装置、コンテンツ再生方法、及びそのコンテンツ再生方法をコンピュータに実行させるためのプログラムを提供することを、他の目的とする。
【課題を解決するための手段】
【００１７】
上述の課題を解決するために、本発明の第１の技術手段は、コンテンツを再生中に再生が停止された状態となったときに、その停止位置をレジューム位置として該コンテンツに関連付けて保持する保持手段と、該保持手段でレジューム位置が保持されたコンテンツに対する戻し再生操作を受け付ける戻し再生操作手段と、該戻し再生操作手段で戻し再生操作を受け付けたときに、前記保持手段から前記コンテンツに関するレジューム位置を読み出し、該レジューム位置を起点として所定時間前の位置から再生を開始する戻し再生手段と、を備えたレジューム機能付きのコンテンツ再生装置であって、前記保持手段は、前記戻し再生手段で再生され前記レジューム位置に到達するまでは該レジューム位置を保持し、該レジューム位置を超えて再生が継続された後に停止された状態となったときにはじめて、前記レジューム位置を更新することを特徴としたものである。
【００１８】
第２の技術手段は、第１の技術手段において、前記戻し再生操作手段は、前記戻し再生操作として、複数の所定時間の中から選択的に一つの所定時間を決定させる操作を受け付け、前記戻し再生手段は、前記保持手段から読み出した前記コンテンツに関するレジューム位置を起点として、前記戻し再生操作手段で選択された所定時間前の位置から再生を開始することを特徴としたものである。
【００１９】
第３の技術手段は、第２の技術手段において、前記戻し再生操作手段は当該コンテンツ再生装置の本体側及び／又はリモートコントローラ側に１つのキーを有し、該キーの連続押下時間又は間欠押下回数に応じて、前記複数の所定時間の中から選択的に一つの所定時間を決定させる操作を受け付けることを特徴としたものである。
【００２０】
第４の技術手段は、第２の技術手段において、前記戻し再生操作手段は、前記複数の所定時間がそれぞれ関連付けられた複数のキーを、当該コンテンツ再生装置の本体側及び／又はリモートコントローラ側に有することを特徴としたものである。
【００２１】
第５の技術手段は、第２〜第４のいずれかの技術手段において、前記複数の所定時間の一つとして、前記戻し再生手段で前記レジューム位置からの戻し再生を行うための０秒を含むことを特徴としたものである。
【００２２】
第６の技術手段は、保持手段が、コンテンツを再生中に再生が停止された状態となったときに、その停止位置をレジューム位置として該コンテンツに関連付けて保持する保持ステップと、戻し再生操作手段が、前記保持手段でレジューム位置が保持されたコンテンツに対する戻し再生操作を受け付ける戻し再生操作ステップと、戻し再生手段が、前記戻し再生操作手段で戻し再生操作を受け付けたときに、前記保持手段から前記コンテンツに関するレジューム位置を読み出し、該レジューム位置を起点として所定時間前の位置から再生を開始する戻し再生ステップと、を含むコンテンツ再生方法であって、前記保持ステップは、前記戻し再生ステップで再生され前記レジューム位置に到達するまでは該レジューム位置を保持し、該レジューム位置を超えて再生が継続された後に停止された状態となったときにはじめて、前記レジューム位置を更新することを特徴としたものである。
【００２３】
第７の技術手段は、第６の技術手段において、前記戻し再生操作ステップは、前記戻し再生操作として、複数の所定時間の中から選択的に一つの所定時間を決定させる操作を受け付け、前記戻し再生ステップは、前記保持手段から読み出した前記コンテンツに関するレジューム位置を起点として、前記戻し再生操作手段で選択された所定時間前の位置から再生を開始することを特徴としたものである。
【００２４】
第８の技術手段は、第６又は第７の技術手段におけるコンテンツ再生方法を、コンピュータに実行させるためのプログラムである。
【発明の効果】
【００２５】
本発明の一実施形態に係るレジューム機能付きコンテンツ再生装置、方法、プログラムによれば、レジューム再生によりユーザに不快感を与えたり余計な時間を浪費させたりすることなく、レジューム再生開始時にユーザの意志で且つ簡単なキー操作でレジューム位置の所定時間前の位置から再生可能とし、またレジューム再生開始後もそのレジューム位置を過ぎるまで、ユーザの意志で且つ簡単なキー操作で同じ位置から再度再生させることも可能となる。
【００２６】
また、本発明の他の実施形態に係るレジューム機能付きコンテンツ再生装置、方法、プログラムによれば、レジューム再生によりユーザに不快感を与えたり余計な時間を浪費させたりすることなく、レジューム再生開始時にユーザの意志で且つ簡単なキー操作で戻し時間を決定することが可能となり、またレジューム再生開始後もその戻し時間をユーザの意志で且つ簡単なキー操作で変更することも可能となる。
【発明を実施するための最良の形態】
【００２７】
本発明に係るコンテンツ再生装置は、ランダムアクセス可能な記録媒体に記録されたコンテンツを再生する装置であり、且つレジューム機能付きの装置である。以下、本発明に係るレジューム機能付きコンテンツ再生装置の一例として、デジタルＤＶＤ／ＨＤＤレコーダ（以下、「ＤＶＤ／ＨＤＤレコーダ」という）を挙げて説明する。但し、ＢＤ（Blu-Ray Disc）やＣＤ（Compact Disc）等の他種の記録媒体にコンテンツを記録するレコーダであっても同様に適用でき、また録画や録音の機能を具備しないＤＶＤプレーヤやＢＤプレーヤやＣＤプレーヤ等の各種プレーヤでも同様に適用できる。
【００２８】
また、本発明においてレジューム再生の対象となるコンテンツとしては、再生時に記録媒体に記録済みのコンテンツであればよく、映像・音声を含むコンテンツであっても、音声のみを含むコンテンツであってもよい。また、その取得元に関しても、テレビ放送やラジオ放送によりデジタル／アナログ放送番組として取得したものや、ネットワーク経由でサーバ装置から取得したものや、記録媒体に記録された状態で流通されたものであってもよい。
【００２９】
図１は、本発明の一実施形態に係るコンテンツ再生装置の一例としてのＤＶＤ／ＨＤＤレコーダの構成を概略的に示したブロック図で、図中、１００はそのＤＶＤ／ＨＤＤレコーダである。
【００３０】
図１で例示するＤＶＤ／ＨＤＤレコーダ１００は、コンテンツとしてデジタルのテレビ放送番組が録画可能となっており、制御部１０１、デジタル放送受信部１０２、リモコン受信部１０３、操作入力部１０４、録画／再生管理部１０５、録画用蓄積部１０６、レジューム位置記憶部１０７、復調部１０８、ＴＳ（Transport Stream）デコード部１０９、音声デコード部１１０、音声出力部１１１、映像デコード部１１２、映像／ＯＳＤ信号合成部１１３、ＯＳＤ（On Screen Display）描画部１１４、及び映像出力部１１５を備えている。
【００３１】
制御部１０１は、リモートコントローラ（リモコン）１０又は本体側の操作入力部１０４に対して行われたユーザ操作に応じて、デジタル放送受信部１０２への選局指令、録画／再生管理部１０５への録画又は再生に関する指令、ＯＳＤ描画部１１４へのＯＳＤ表示指令、等々の信号を出力する。
【００３２】
デジタル放送受信部１０２は、アンテナＡＴに接続されており、アンテナＡＴから受信したデジタル放送信号を選局し、復調部１０８へ出力する。復調部１０８は、デジタル放送受信部１０２で選局され出力されたデジタル放送信号に対し、復調処理を施す。
【００３３】
ＴＳデコード部１０９は、復調部１０８で復調処理されたデジタル放送信号であるＭＰＥＧ（Moving Picture Experts Group）−２のＴＳ信号を、映像信号、音声信号、及び制御信号に分離し、音声信号を音声デコード部１１０に、映像信号を映像デコード部１１２にそれぞれ出力する。この制御信号は、制御部１０１に出力され（その経路は図示せず）、ＥＰＧ（電子番組表）を作成する情報などが適時ＯＳＤ描画部１１４から読み出される。また、ＯＳＤ描画部１１４は、映像／ＯＳＤ信号合成部１１３に対し、制御部１０１内の不揮発性メモリ等に格納されたＥＰＧ情報に基づきＥＰＧ画像を生成して出力したり、チャンネルコール等の画像を出力するなど、ＯＳＤ画像を示すＯＳＤ信号を出力する。
【００３４】
映像デコード部１１２は、入力された映像信号（ＭＰＥＧ−２の圧縮信号）を復号し、映像／ＯＳＤ信号合成部１１３へ出力する。映像／ＯＳＤ信号合成部１１３は、映像デコード部１１２からの映像信号とＯＳＤ描画部１１４からのＯＳＤ信号とを合成して映像出力部１１５に出力する。映像出力部１１５には映像表示装置が接続されており、これにより映像表示が可能となる。また、音声デコード部１１０は、入力された音声信号（ＭＰＥＧ−２の圧縮信号）を復号し、音声出力部１１１へ出力する。音声出力部１１１にはスピーカ（上述の映像表示装置に具備されたスピーカでもよい）が接続されており、これにより音を発することが可能となる。
【００３５】
制御部１０１は、ユーザ操作として、チャンネル及び時間帯を指定した録画操作又は録画予約操作をリモコン受信部１０３又は操作入力部１０４から受けたときに、録画／再生管理部１０５にその旨を示す録画制御信号を伝送する。録画／再生管理部１０５は、その録画制御信号に従って、録画用蓄積部１０６に対してそのチャンネル及び時間帯のコンテンツを蓄積させる制御を行うことで、その録画コンテンツの録画を開始させる。録画予約操作であった場合には録画開始時刻の到来により制御を開始すればよい。録画用蓄積部１０６は、ＨＤＤ及びＤＶＤ駆動装置でなり、録画／再生管理部１０５からの制御に従い、復調部１０８で復調されたデジタル放送信号を、ＨＤＤ又は装着されたＤＶＤに蓄積する。また、録画用蓄積部１０６は、録画終了操作又は録画予約の終了時刻の到来により、蓄積処理を終了する。
【００３６】
また、制御部１０１は、ユーザ操作として、録画用蓄積部１０６に記録された録画コンテンツを指定した再生操作をリモコン受信部１０３又は操作入力部１０４から受けたときに、録画／再生管理部１０５にその旨を示す再生制御信号を伝送する。録画／再生管理部１０５は、その再生制御信号に従って、録画用蓄積部１０６に対してその録画コンテンツを出力させる制御を行うことで、その録画コンテンツの再生を開始させる。録画用蓄積部１０６は、その制御に従って、再生対象として指定された録画コンテンツを再生用にＴＳデコード部１０９へ出力する。ＴＳデコード部１０９は、録画用蓄積部１０６からの信号もデコードし、音声信号を音声デコード部１１０に、映像信号を映像デコード部１１２にそれぞれ出力する。これにより、録画コンテンツが映像表示装置及びスピーカで再生される。
【００３７】
また、制御部１０１は、その録画コンテンツの再生中に、ユーザ操作として再生停止操作をリモコン受信部１０３又は操作入力部１０４から受けたときに、録画／再生管理部１０５にその旨を示す再生停止制御信号を伝送する。録画／再生管理部１０５は、その再生停止制御信号に従って、録画用蓄積部１０６に対してその録画コンテンツの出力を停止させる制御を行うことで、その再生を停止させる。録画用蓄積部１０６は、その制御に従ってＴＳデコード部１０９への出力を停止し、これにより録画コンテンツの映像表示装置及びスピーカでの再生が停止される。
【００３８】
録画／再生管理部１０５は、再生停止の制御と共に、その停止位置をそのコンテンツのレジューム位置として、レジューム位置記憶部１０７に記憶する。レジューム位置記憶部１０７は、不揮発性メモリで構成すればよく（ＨＤＤでもよい）、揮発性メモリを採用した場合には可能な限り電源を供給しレジューム位置を消さないような構成にするとよい。レジューム位置記憶部１０７及びそれに対する記憶制御を行う録画／再生管理部１０５で例示したように、ＤＶＤ／ＨＤＤレコーダ１００は、コンテンツを再生中に再生が停止された状態となったときに、その停止位置をレジューム位置としてそのコンテンツに関連付けて保持（記憶）する保持手段を有する。
【００３９】
また、リモコン受信部１０３及び／又は操作入力部１０４は、レジューム位置が保持されたコンテンツに対する戻し再生操作（レジューム再生操作）を受け付ける戻し再生操作手段を有する。勿論、この再生操作手段は、レジューム位置が保持されていないコンテンツに対しても戻し再生操作を受け付けてもよいが、レジューム位置が保持されていないと分かった時点で通常の再生処理として取り扱えばよい。
【００４０】
そして、上述のごとき再生停止の後で、制御部１０１は、ユーザ操作として、録画用蓄積部１０６に記録された同じ録画コンテンツを指定した戻し再生操作をリモコン受信部１０３又は操作入力部１０４から受けたときに、録画／再生管理部１０５にその旨を示す戻し再生制御信号を伝送する。録画／再生管理部１０５は、その戻し再生制御信号に従って、レジューム位置記憶部１０７を参照してその録画コンテンツに関するレジューム位置の情報を読み出し、そのレジューム位置を起点として予め決められた所定時間前の位置から再生を開始するように、録画用蓄積部１０６の出力を制御する。この制御に従って、録画用蓄積部１０６は、再生対象として指定された録画コンテンツをレジューム位置の所定時間前の位置から再生用にＴＳデコード部１０９へ出力する。これにより、録画コンテンツの映像表示装置及びスピーカでの戻し再生が開始される。
【００４１】
戻し再生の制御方法としては既存の技術を採用すればよく、例えば市販のＤＶＤ／ＨＤＤレコーダにはタイムサーチ機能が一般に具備されているので、録画／再生管理部１０５が録画用蓄積部１０６内の対象の録画コンテンツに対して、タイムサーチ機能を利用して再生位置（レジューム位置の所定時間前の位置）の頭出しを行い、そこから出力するよう録画用蓄積部１０６に指示するとよい。例えば、コンテンツ先頭から１０分３０秒で停止してレジューム位置として記録されていたとすると、所定時間が１分であった場合には９分３０秒でタイムサーチを行い、そこから再生を始めればよい。なお、特許文献３に記載のように正確な位置から再生する必要は必ずしもなく、ＭＰＥＧ−２の場合、ＧＯＰ（Group Of Picture）単位程度の精度でよい。
【００４２】
録画／再生管理部１０５、録画用蓄積部１０６、及び他の再生に係わる部位で例示したように、ＤＶＤ／ＨＤＤレコーダ１００は、戻し再生操作を受け付けたときに、レジューム位置記憶部１０７からその録画コンテンツに関するレジューム位置を読み出し、そのレジューム位置を起点として所定時間前の位置から再生を開始する戻し再生手段を備える。なお、レジューム位置記憶部１０７を参照したときにその録画コンテンツに対してレジューム位置が記録されていなければ、上述のごとくその録画コンテンツを通常通り先頭から再生させればよい。また、レジューム再生を行うモードと行わないモードとを用意しておき、前者のモードに設定されているときのみ、レジューム再生を許可し実行するようにしてもよい。
【００４３】
上述のごとき構成のＤＶＤ／ＨＤＤレコーダ１００において、本発明の主たる特徴として、上述の保持手段は、戻し再生手段で再生されレジューム位置に到達するまではそのレジューム位置を保持し、そのレジューム位置を超えて再生が継続された後に停止された状態となったときにはじめて、レジューム位置を更新する。
【００４４】
図１の例で具体的に説明すると、録画／再生管理部１０５は、制御部１０１から再生停止制御信号を受けると、それに従って、録画用蓄積部１０６に対してその録画コンテンツの出力を停止させる制御を行うことでその再生を停止させる。録画／再生管理部１０５は、その再生停止制御と共に、その録画コンテンツが戻し再生中（レジューム再生中）で未だレジューム位置まで再生が終了していないか否かを判定し、終了していない場合にはレジューム位置記憶部１０７に停止位置の記憶を実行しない。つまり、録画／再生管理部１０５は、レジューム再生中であって且つレジューム位置を超えてその録画コンテンツが再生中であった場合のみ、レジューム位置の更新を許可し、その停止位置をそのコンテンツのレジューム位置としてレジューム位置記憶部１０７に記憶する。このようなレジューム位置更新の制限により、録画／再生管理部１０５は、その録画コンテンツの戻し再生中（レジューム再生中）に制御部１０１から戻し再生制御信号を受けると、それに従って、再度レジューム位置記憶部１０７を参照し、保持してある同じレジューム位置から予め決められた同じ所定時間だけ戻した戻し再生を実行することができる。
【００４５】
このように、本発明に係るＤＶＤ／ＨＤＤレコーダ１００は、レジューム再生開始時にユーザが自身の記憶の程度に基づき自分の意志で、しかも簡単な少ないキー操作でレジューム位置の所定時間前の位置から再生可能となり、レジューム再生によりユーザに不快感を与えたり余計な時間を浪費させたりすることもない。また、レジューム位置をその位置を超える再生がなされるまで保持しているため、レジューム再生開始後も同じレジューム位置からの同じ位置から、ユーザの意志で且つ簡単な少ないキー操作で再生することも可能となる。
【００４６】
また、上述の構成では、所定時間が１つだけ予め決まっているものとして説明したが、ユーザによって複数の中から選択可能にすることが好ましい。そのため、本発明の他の実施形態に係る主たる特徴として、上述した戻し再生操作手段は、戻し再生操作として、複数の所定時間の中から選択的に一つの所定時間を決定させる操作を受け付ける。そして、戻し再生手段は、レジューム位置記憶部１０７から読み出した録画コンテンツに関するレジューム位置を起点として、戻し再生操作手段で選択された所定時間前の位置から再生を開始する。つまり、本発明では、レジューム位置からの戻し時間を複数の所定時間の中から選択的に一つ決定させる操作により、レジューム位置から「決定させた所定時間」前に戻して再生する戻し再生操作を受け付け、その位置から戻し再生を開始する。
【００４７】
図１の例で具体的に説明すると、再生停止の後で、制御部１０１は、ユーザ操作として、録画用蓄積部１０６に記録された同じ録画コンテンツを指定し且つ所定時間（戻し時間）を指定した戻し再生操作をリモコン受信部１０３又は操作入力部１０４から受けたときに、録画／再生管理部１０５にその旨を示す戻し再生制御信号を伝送する。録画／再生管理部１０５は、その戻し再生制御信号に従って、レジューム位置記憶部１０７を参照してその録画コンテンツに関するレジューム位置の情報を読み出し、そのレジューム位置を起点として上述の所定時間前の位置から再生を開始するように、録画用蓄積部１０６の出力を制御するとよい。
【００４８】
図１の例で具体的に説明すると、所定時間が予め１つ決まっている形態と同様に、録画／再生管理部１０５は、レジューム再生中であって且つレジューム位置を超えてその録画コンテンツが再生中であった場合のみ、レジューム位置の更新を許可し、その停止位置をそのコンテンツのレジューム位置としてレジューム位置記憶部１０７に記憶する。このようなレジューム位置更新の制限により、録画／再生管理部１０５は、その録画コンテンツの戻し再生中（レジューム再生中）に制御部１０１から戻し再生制御信号を受けると、それに従って、再度レジューム位置記憶部１０７を参照し、保持してある同じレジューム位置から戻し再生制御信号に含まれる所定時間だけ戻した戻し再生を実行することができる。
【００４９】
このように、本発明に係るＤＶＤ／ＨＤＤレコーダ１００は、レジューム再生開始時にユーザが自身の記憶の程度に基づき自分の意志で、しかも簡単な少ないキー操作で戻し時間を決定することが可能となり、レジューム再生によりユーザに不快感を与えたり余計な時間を浪費させたりすることもない。また、レジューム位置をその位置を超える再生がなされるまで保持しているため、レジューム再生開始後も同じレジューム位置からの戻し時間をユーザの意志で且つ簡単な少ないキー操作で変更することも可能となる。
【００５０】
次に、図２〜図４を参照して、キー操作を少なくする好ましい構成例を挙げながら、上述のごとき本発明の戻し再生処理について説明する。ここでは、主として複数の所定時間からユーザ選択できる実施形態を説明する。
【００５１】
図２は、図１のＤＶＤ／ＨＤＤレコーダに付属するリモコンの一例を示す外観図、図３は、図１のＤＶＤ／ＨＤＤレコーダにおける戻し再生処理の一例を説明するためのタイムチャート、図４は、図１のＤＶＤ／ＨＤＤレコーダにおける戻し再生処理の一例を説明するためのフロー図である。
【００５２】
図２で例示するリモコン１０は、電源キー、メニュー表示キー、音量調節キー、ＵＰ／ＤＯＷＮ選局キー、チャンネルキーなどと共に、録画コンテンツの一覧を表示させるためのコンテンツ一覧キー１１、ＯＳＤ表示時の選択操作を行うための矢印キー（十字キー）１２、選択後に決定を行うための決定キー１３、録画コンテンツを再生するための再生キー１４、一時停止させるための一時停止キー１５、停止させるための停止キー１６などが設けられている。
【００５３】
さらに、リモコン１０には戻し再生操作手段の一例としての戻し再生キー１７が設けられている。戻し再生キー１７は、キーアクション、すなわち連続押下時間又は間欠押下回数に応じて、異なる信号を出力するキーである。従って、戻し再生キー１７の連続押下時間又は間欠押下回数に応じて、複数の所定時間の中から選択的に一つの所定時間を決定させる操作を、制御部１０１が受け付ける。このように、所定時間の決定を伴う戻し再生操作をワンキー操作で行う構成とすることで、ユーザは容易な操作で戻し時間の選択が可能となる。
【００５４】
図３では、選択可能な複数の所定時間の例として、戻し再生位置i，ii，iiiにそれぞれ相当する、レジューム位置Ｒからの所定時間Ｔ１，Ｔ２，Ｔ３を採用している。また複数の所定時間の一つとして、戻し再生手段でレジューム位置Ｒからの戻し再生を行うための０秒を含むことが好ましい。「０秒」という所定時間は、ユーザがストーリーを既に把握していることが分かっているときに非常に有用である。さらに、「０秒」という所定時間は、最初の戻し再生操作（例えばレジューム位置から３０秒戻した位置からの再生操作）により戻し再生を開始した後、レジューム位置Ｒに到達する前に（例えば１６秒程再生した段階で）ユーザがストーリーを把握できたと感じた場合に、レジューム位置Ｒへ進むことができるので、時間を節約でき非常に有用である。
【００５５】
連続押下時間（長押し時間）を採用した場合の例を挙げる。連続押下時間が０．５秒未満のときはレジューム位置Ｒ（つまり０秒）からの戻し再生操作として制御部１０１へ渡し、連続押下時間が０．５以上１．０秒未満、１．０以上１．５秒未満、１．５以上のときに、それぞれ所定時間をＴ１，Ｔ２，Ｔ３とした戻し再生操作として制御部１０１へ渡すとよい。なお、１．５以上２．０秒未満を所定時間Ｔ３とし、２．０秒以上であった場合には再生キー１４の押下と同じ操作（先頭から再生する操作）として受け付け、録画／再生管理部１０５が先頭からその録画コンテンツを開始するように制御してもよい。
【００５６】
間欠押下回数を採用する場合には、例えば１回の押下操作から０．５秒以内の押下操作を間欠押下操作と判断し、１回、２回、３回、４回であった場合には、それぞれ所定時間を０秒，Ｔ１，Ｔ２，Ｔ３とした戻し再生操作として制御部１０１へ渡すとよい。なお、５回であった場合には再生キー１４の押下と同じ操作（先頭から再生する操作）として受け付け、録画／再生管理部１０５が先頭からその録画コンテンツを開始するように制御してもよい。
【００５７】
勿論、戻し再生キー１７は押下した信号だけを制御部１０１へ渡し、制御部１０１側で連続押下時間又は間欠押下回数の判定を行ってもよい。また、図２の例では、戻し再生（レジューム再生）と通常再生とを別々のキーで操作するよう構成されており、以下の説明もその構成に基づき行うが、通常再生キー１４等の他のキーに、連続押下時間又は間欠押下回数の違いとして戻し再生操作も割り当ててもよい。
【００５８】
また、これら複数の所定時間は、例えばＴ１，Ｔ２，Ｔ３をそれぞれ３０秒，９０秒，４分などと予め設定されていればよく、ユーザがリモコン１０又は操作入力部１０４からの操作（例えばメニュー画面表示後の操作）により設定可能としてもよい。
【００５９】
次に、主として図４を参照しながら、本発明の戻し再生処理例を説明する。この処理例では、間欠押下回数により所定時間Ｔを選択可能とするが、連続押下時間によって選択可能としても同様である。
【００６０】
まず、ユーザがリモコン１０のコンテンツ一覧キー１１を操作することによりコンテンツ一覧画面が映像表示装置に表示されることで本処理がスタートする（ステップＳ１）。次いで、矢印キー１２を操作して視聴する録画コンテンツをフォーカスする（ステップＳ２）。ステップＳ２で或る録画コンテンツがフォーカスされた状態で、制御部１０１は戻し再生キー１７の押下操作を待つ（ステップＳ３）。ここで、戻し再生の対象として選択される録画コンテンツはレジューム位置がレジューム位置記憶部１０７に記憶されているものを前提として説明する。例えば、録画コンテンツの一覧表示画面で各コンテンツにレジューム記録の有無を併せて表示しておくことで、ユーザは有無を判断できる。もし、レジューム位置が記録されていない録画コンテンツが選択された場合には、上述したように通常の再生を行うか、或いはそのキー操作を無視すれば済む。
【００６１】
ステップＳ３でＹＥＳの場合、すなわち戻し再生キー１７が押下されたときには、制御部１０１はその間欠押下回数に応じて戻し時間Ｔを得ることができ、その戻し時間Ｔを指定した戻し再生制御信号を録画／再生管理部１０５へ渡す。
【００６２】
録画／再生管理部１０５は、まずレジューム位置記憶部１０７に記憶されているレジューム位置Ｒを読み出し、その位置Ｒが示す時間がＴより小さいか否かを判定する（ステップＳ４）。ステップＳ４で大きかった場合には、レジューム位置Ｒの所定時間Ｔだけ前の位置から戻し再生を行うように、録画用蓄積部１０６の出力を制御し、その位置からの再生を実行させる（ステップＳ５）。一方、ステップＳ４で小さかった場合には、レジューム位置Ｒの所定時間Ｔだけ前の位置はその録画コンテンツの先頭より前であり時間（位置）として定義できないため、その録画コンテンツの先頭から再生するよう録画用蓄積部１０６の出力を制御し、先頭からの再生を実行させる（ステップＳ６）。図３の例では、所定時間Ｔ１，Ｔ２，Ｔ３のいずれでも戻し再生位置i，ii，iiiはコンテンツ先頭より前とならないので、ステップＳ６ではなくステップＳ５の処理を遂行する。例えばステップＳ３の押下操作が１回、２回、３回、４回であった場合には、それぞれ、レジューム位置Ｒ、戻し再生位置i、戻し再生位置ii、戻し再生位置iiiから再生が開始される。
【００６３】
ステップＳ５，Ｓ６により戻し再生された録画コンテンツに対し、さらにステップＳ３と同様に制御部１０１が戻し再生キー１７の押下操作を待つ（ステップＳ７）。ステップＳ７でＹＥＳの場合、すなわち戻し再生キー１７が押下されたときには、制御部１０１は戻し時間Ｔを指定した戻し再生制御信号を録画／再生管理部１０５へ渡す。そして、録画／再生管理部１０５は、現在の再生位置Ｐがレジューム位置Ｒを超えたか否かを判定する（ステップＳ８）。
【００６４】
ステップＳ８でＮＯの場合にはステップＳ４へ戻り、今回選択決定された所定時間Ｔに基づき、レジューム位置Ｒから所定時間Ｔだけ前（或いはコンテンツ先頭）から再生を行う（ステップＳ５，Ｓ６）。このように、戻し再生キー１７の押下操作により開始された戻し再生が、レジューム位置Ｒまで到達していない場合、例えば図３の区間I，II，IIIのいずれかを再生している間は、再び戻し再生キー１７の押下操作により、同じレジューム位置Ｒからの戻し再生開始位置を変更することができる。
【００６５】
一方、ステップＳ７でＮＯの場合には、停止キー１６の押下操作を待つ（ステップＳ９）。待機のため、ステップＳ９でＮＯの場合にはステップＳ７へ戻ればよい。またステップＳ８でＹＥＳの場合には、ステップＳ７の戻し再生操作を無視し、ステップＳ９へ進む。
【００６６】
ステップＳ９でＹＥＳの場合、すなわち制御部１０１が停止キー１６の押下信号を受けたとき、録画／再生管理部１０５は、制御部１０１からの再生停止制御信号を受けて、ステップＳ８と同様の判定を行う（ステップＳ１０）。ここでの現在再生位置Ｐとは停止キー１６が押下された停止位置を指す。ステップＳ１０でＹＥＳの場合（当然、ステップＳ８でＹＥＳの判定後にはＹＥＳとなる）、録画／再生管理部１０５が、レジューム位置Ｒを停止キー１６が押下された位置に更新するよう、レジューム位置記憶部１０７に記憶する（ステップＳ１１）。ステップＳ１１の後、或いはステップＳ１０でＮＯの場合、録画／再生管理部１０５が、その録画コンテンツの再生を停止する（ステップＳ１２）。
【００６７】
ステップＳ７でＮＯの後にステップＳ９でＹＥＳ、ステップＳ１０でＮＯとなった場合のように、戻し再生キー１７の押下操作により開始された戻し再生後に、停止キー１６が押下されたとき、その停止位置がレジューム位置Ｒまで到達していない場合、例えば図３の区間I，II，IIIのいずれかを再生している間は、停止キー１６の押下操作により再生を停止してもレジューム位置Ｒは更新されない。従って、その後、再度戻し再生を行ったときにも同じレジューム位置Ｒの所定時間Ｔ前からの戻し再生を行うことができる。一方で、ステップＳ８でＹＥＳの後やステップＳ７でＮＯの後に、ステップＳ９でＹＥＳ、ステップＳ１０でＹＥＳとなった場合のように、戻し再生キー１７の押下操作により開始された戻し再生後に停止キー１６が押下されたとき、その停止位置がレジューム位置Ｒを超えていた場合には、レジューム位置Ｒが更新される。
【００６８】
なお、停止キー１６ではなく一時停止キー１５や巻き戻しや早送りのキーなどの他のキーの押下操作があった場合には、この処理フローから抜けてそのキーに対応する動作を実行した後、停止キー１６の押下操作を待って、ステップＳ１１，Ｓ１２と同様にレジューム位置Ｒを更新して再生を停止すればよい。
【００６９】
また、ステップＳ６の後もステップＳ５の後と同様の処理を行う例を示したが、ステップＳ６に至るトリガーとなったステップＳ３で受け付けた操作を通常の再生操作とみなして、通常の再生を行ってもよい。
【００７０】
上述のフロー図の処理例に対応したプログラムは、制御部１０１や録画／再生管理部１０５が備えているＲＯＭ（Read Only Memory）などに格納しておき、同じく制御部１０１や録画／再生管理部１０５におけるＣＰＵ（Central Processing Unit）によりＲＡＭ（Random Access Memory）に読み出すことで、実行できる。
【００７１】
以上説明したように、本発明に係るＤＶＤ／ＨＤＤレコーダ１００では、例えば前回停止位置であるレジューム位置Ｒの１分前から戻し再生を始めてみたが、やはり３分前から再生したいという場合でも、レジューム位置Ｒに到達する前であればもう一度戻し再生キー１７を押下するというワンキー操作で即座に実行できる。また、例えばレジューム位置Ｒの１分前から戻し再生を始め、３０秒程視聴した後に、もう一度同じ１分前の位置（最初の戻し再生と同じ戻し時間）から再生を始めたいときにも、もう一度戻し再生キー１７を押下するというワンキー操作で即座に実行できる。
【００７２】
さらに、例えばレジューム位置Ｒの１分前から戻し再生を始め、トイレや電話といった一時的な急用があり、レジューム位置Ｒに到達する前に停止キー１６を押下した場合にも有用である。その後、再生キー１４の押下によりそのまま続きを再生することも可能であるが、もしもう一度１分前から或いは３分前から再生したいという場合でも、もう一度戻し再生キー１７を押下するというワンキー操作で即座に実行できる。このように、本発明によれば、快適なレジューム再生環境を提供できる。
【００７３】
図４で説明した処理例では、レジューム位置Ｒを過ぎて再生しているときに戻し再生操作をしても無視したが、その代替例として、無視しない処理例も採用できる。このような処理例を図５及び図６を参照して説明する。図５は、図１のＤＶＤ／ＨＤＤレコーダにおける戻し再生処理の他の例を説明するためのフロー図で、図６は、図５に続くフロー図である。
【００７４】
まず、ステップＳ１〜Ｓ３と同様の処理を行い（ステップＳ２１〜Ｓ２３）、制御部１０１は戻し時間Ｔを指定した戻し再生制御信号を録画／再生管理部１０５へ渡す。続いて、録画／再生管理部１０５は、内部で予め録画コンテンツ毎に（すなわちレジューム位置Ｒ毎に）管理している戻し再生フラグを「１」にセットする（ステップＳ２４）。ここで、戻し再生フラグは、「１」のときレジューム位置Ｒを起点とする戻し再生を行うことを指し、「０」の場合には現在再生位置Ｐを起点とする戻し再生を行うことを指すものとして定義している。
【００７５】
次に、録画／再生管理部１０５は、ステップＳ４〜Ｓ６と同じ処理を実行し（ステップＳ２５〜Ｓ２７）、ステップＳ７やステップＳ２３と同様に戻し再生キー１７の押下操作を待つ（ステップＳ２８）。
【００７６】
ステップＳ２８でＹＥＳの場合、すなわち戻し再生キー１７が押下されたときには、制御部１０１が戻し時間Ｔを指定した戻し再生制御信号を録画／再生管理部１０５へ渡すと共に、ステップＳ８と同じ判定を行う（ステップＳ２９）。ステップＳ２９でＮＯの場合にはステップＳ２５へ戻る。
【００７７】
一方、ステップＳ２９でＹＥＳの場合には、ステップＳ２８の戻し再生操作を無視するのではなく、録画／再生管理部１０５が戻し再生フラグを「０」にセットする（ステップＳ３０）。レジューム位置Ｒを過ぎて再生しているときに戻し再生操作をした場合に、戻し再生フラグを「０」にすることで、現在の再生位置Ｐを起点（基準）としてステップＳ２８で受け付けた所定時間Ｔだけ戻す戻し再生を行えるようにする（ステップＳ３１〜Ｓ３３）。
【００７８】
ステップＳ３１では、録画／再生管理部１０５が、現在再生位置Ｐが示す時間がＴより小さいか否かを判定する。ステップＳ３１で大きかった場合には、現在再生位置Ｐの所定時間Ｔだけ前の位置から戻し再生を行うように、録画用蓄積部１０６の出力を制御し、その位置からの再生を実行させる（ステップＳ３２）。一方、ステップＳ３１で小さかった場合には、現在再生位置Ｐの所定時間Ｔだけ前の位置はその録画コンテンツの先頭より前であり時間（位置）として定義できないため、その録画コンテンツの先頭から再生するよう録画用蓄積部１０６の出力を制御し、先頭からの再生を実行させる（ステップＳ３３）。
【００７９】
ステップＳ２８でＮＯの場合、及びステップＳ３２又はステップＳ３３の処理後、ステップＳ９と同様に停止キー１６の押下操作を待つ（ステップＳ３４）。待機のため、ステップＳ３４でＮＯの場合にはステップＳ２８へ戻ればよい。
【００８０】
ステップＳ３４でＹＥＳの場合、すなわち制御部１０１が停止キー１６の押下信号を受けたとき、録画／再生管理部１０５は、制御部１０１からの再生停止制御信号を受けて、戻し再生フラグが「０」であるか否かを判定する（ステップＳ３５）。ステップＳ３５でＮＯの場合には、レジューム位置Ｒを起点とした戻し再生を実行することを示すので、録画／再生管理部１０５が、ステップＳ２９やステップＳ１０と同じ判定、すなわち現在再生位置Ｐがレジューム位置Ｒを超えたか否かの判定を行う（ステップＳ３６）。ここでの現在再生位置Ｐとは停止キー１６が押下された停止位置を指す。ステップＳ３６でＹＥＳの場合にはステップＳ１１，Ｓ１２と同様の処理を行い（ステップＳ３７，Ｓ３８）、ＮＯの場合にはステップＳ１２と同様の処理を行い（ステップＳ３８）、処理を終了する。一方、ステップＳ３５でＹＥＳの場合には、レジューム位置Ｒを起点とした戻し再生処理を実行しないことを示すので、ステップＳ３６の処理を経ずに、ステップＳ３７，Ｓ３８の処理を実行し、処理を終了する。
【００８１】
なお、停止キー１６ではなく一時停止キー１５や巻き戻しや早送りのキーなどの他のキーの押下操作があった場合には、図４の処理と同様に、この処理フローから抜ければよい。また、ステップＳ２７の後もステップＳ２６の後と同様の処理を行う例を示したが、ステップＳ２７に至るトリガーとなったステップＳ２３で受け付けた操作を通常の再生操作とみなして、通常の再生を行ってもよい。
【００８２】
図７は、図１のＤＶＤ／ＨＤＤレコーダに付属するリモコンの他の例を示す外観図である。図２で例示したリモコン１０では、１つの戻し再生キー１７により戻し再生操作を受け付けたが、図７で例示するリモコン１０の戻し再生キー群１７を設けてもよい。
【００８３】
図７で例示する戻し再生操作手段は、複数の所定時間がそれぞれ関連付けられた複数のキーを有するよう構成したものである。この例での戻し再生キー群１７は、４分戻し用の４分戻しキー１７ａ、９０秒戻し用の９０秒戻しキー１７ｂ、３０秒戻し用の３０秒戻しキー１７ｃ、０秒戻し（レジューム位置）用の０秒戻しキー１７ｄを備えている。ｎ種類の所定時間の選択枝とするのであれば、戻し再生キー群１７としてｎ個の新たな戻し再生キーを追加して設けておくとよい。このような戻し再生キー群１７を設けた場合でも、基本的な処理は図１〜図６で説明した通りである。
【００８４】
また、複数の所定時間をユーザ選択させる他の例として、リモコン１０に一般的に具備されているテンキーを利用してもよい。例えば、「１」キーは設定時間Ｔ１の時間分戻した位置からの戻し再生操作として受け付け、「２」キーは設定時間Ｔ２の時間分戻した位置から戻し再生操作として受け付けるなどすればよい。その他、ＯＳＤ画像として「レジューム位置から１分前から再生」といった具合に文字で映像表示装置に提示して、選択させてもよいし、ＤＶＤ／ＨＤＤレコーダ１００本体のタイムカウンタにより選択可能に提示してもよいし、またリモコンに表示装置を設けてその表示装置に選択可能に提示してもよい。
【００８５】
また、図２や図７で例示した戻し再生キー（群）１７の他に、戻し再生位置変更キー（進むキー、戻るキー）を別途設けてもよい。そして、戻し再生キー１７により再生を開始した後、例えば図３の区間Iを再生しているときに進むキーを押下するとレジューム位置Ｒから、戻るキーを押下すると戻し再生位置iから再生するよう制御するとよい。同様に、区間IIを再生しているときに進むキーを押下すると戻し再生位置iから、戻るキーを押下すると戻し再生位置iiから再生するよう制御するとよい。また、区間IIIを再生しているときに進むキーを押下すると戻し再生位置iiから、戻るキーを押下すると戻し再生位置iiiから再生するよう制御するとよい。また、同様の処理は、元々リモコン１０に設けられた早送りキーや巻き戻しキーを、戻し再生中（レジューム位置Ｒに到達する前）には、上述のごとき戻し再生位置の変更操作として受け付けるように構成することでも、実現できる。
【００８６】
また、図２〜図６を参照した例において、複数の所定時間からユーザ選択する代わりに、予め決められた１つの所定時間のみを用いる実施形態にあっては、基本的に、戻し再生キー１７の押下を１つの所定時間のみに対応させておけばよく、ステップＳ３，Ｓ７，Ｓ２３，Ｓ２８において決まった所定時間が決定される点が異なるだけである。これにより、ＤＶＤ／ＨＤＤレコーダ１００では、例えば前回停止位置であるレジューム位置Ｒの１分前から戻し再生を始めてみて、３０秒程経過したがもう一度１分前から再生したいという場合でも、レジューム位置Ｒに到達する前であればもう一度戻し再生キー１７を押下するというワンキー操作で即座に実行できる。また、１つの所定時間といえども、ユーザがリモコン１０又は操作入力部１０４からの操作（例えばメニュー画面表示後の操作）により設定可能としてもよい。
【００８７】
また、以上の各例においては、録画／再生管理部１０５がレジューム位置をそのコンテンツに関連付けてレジューム位置記憶部１０７に記憶するものとして説明したが、特にＤＶＤ等の本体から取り出し可能な可搬記録媒体に記録されたコンテンツに対してレジューム位置を記憶する場合には、その可搬記録媒体を特定するための固有の情報と関連付けて記憶しておくとよい。また、可搬記録媒体自体にレジューム位置を記録してもよい。いずれの場合でも、レジューム再生時にレジューム位置を読み出すことはできる。
【００８８】
以上、図１〜図７を参照しながら、本発明のコンテンツ再生装置を中心に各実施形態を説明してきたが、本発明は、図４、図５及び図６で例示したようなコンテンツ再生手順でなるコンテンツ再生方法としての形態も取り得る。また、本発明は、制御部１０１や録画／再生管理部１０５内のプログラムとして例示したように、プログラムとしての形態も採り得る。このプログラムは、ＡＶコンテンツ再生ソフトウェアに含めるなどして、ＤＶＤ／ＨＤＤレコーダ１００やパーソナルコンピュータ（ＰＣ）等に実行可能に組み込むとよい。そして、このようなプログラムは、それを記録したコンピュータ読み取り可能な記録媒体としての配布することやネットワーク経由で配信することができる。また、放送信号としてこのようなプログラムを配信することもできる。
【図面の簡単な説明】
【００８９】
【図１】本発明の一実施形態に係るコンテンツ再生装置の一例としてのＤＶＤ／ＨＤＤレコーダの構成を概略的に示したブロック図である。
【図２】図１のＤＶＤ／ＨＤＤレコーダに付属するリモコンの一例を示す外観図である。
【図３】図１のＤＶＤ／ＨＤＤレコーダにおける戻し再生処理の一例を説明するためのタイムチャートである。
【図４】図１のＤＶＤ／ＨＤＤレコーダにおける戻し再生処理の一例を説明するためのフロー図である。
【図５】図１のＤＶＤ／ＨＤＤレコーダにおける戻し再生処理の他の例を説明するためのフロー図である。
【図６】図５に続くフロー図である。
【図７】図１のＤＶＤ／ＨＤＤレコーダに付属するリモコンの他の例を示す外観図である。
【符号の説明】
【００９０】
１０…リモコン、１３…決定キー、１４…再生キー、１５…一時停止キー、１６…停止キー、１７…戻し再生キー（戻し再生キー群）、１７ａ…４分戻しキー、１７ｂ…９０秒戻しキー、１７ｃ…３０秒戻しキー、１７ｄ…０秒戻しキー、１００…ＤＶＤ／ＨＤＤレコーダ、１０１…制御部、１０２…デジタル放送受信部、１０３…リモコン受信部、１０４…操作入力部、１０５…録画／再生管理部、１０６…録画用蓄積部、１０７…レジューム位置記憶部、１０８…復調部、１０９…ＴＳデコード部、１１０…音声デコード部、１１１…音声出力部、１１２…映像デコード部、１１３…映像／ＯＳＤ合成部、１１４…ＯＳＤ描画部、１１５…映像出力部。
【図１】
2009140565.tif 000003
【図２】
2009140565.tif 000004
【図３】
2009140565.tif 000005
【図４】
2009140565.tif 000006
【図５】
2009140565.tif 000007
【図６】
2009140565.tif 000008
【図７】
2009140565.tif 000009